(57)【特許請求の範囲】
【請求項１】
長手方向の両端部に固定部を設けるとともにこの固定部間に位置して上面に長手方向に一定間隔ごとに仕切り突壁を突設しかつこの各仕切り突壁間に幅方向に並列に上面に開口した凹部を形成しこの凹部の外側に位置して接続片固定孔を上面に開口形成した基台と、
前記基台の接続片固定孔に両端部に下方に向けて折り曲げ形成した固定片部をそれぞれ挿入することにより鈎状部が前記接続片固定孔に食い込み係止されてこの基台の各仕切り突壁間の上面に並列に固定されかつ前記凹部に対向する一対のねじ螺合孔を左右に形成した複数の接続片と、
抜け止め環部を形成した円柱状の軸部とこの軸部の一端部に形成しドライバーが係脱される係合部を有する径大頭部及び前記軸部の他端部に形成し前記各接続片の各ねじ螺合孔にそれぞれ螺合されるねじ軸部を有し光ファイバーケーブルの補強用鋼鉄線の端部を前記接続片に固着する締め付けねじと、
この各締め付けねじのねじ軸部をそれぞれ挿通する挿通孔を有し前記接続片と締め付けねじの径大頭部との間にそれぞれ配設され前記抜け止め環部にて抜け止め保持される複数の座金と、
前記各接続片の上面に当接されこの接続片と前記座金とに挟着された補強用鋼鉄線と接触されるアース接触部を各接続片にそれぞれ対応して突設し、この各アース接触部に前記締め付けねじを挿通するねじ挿通孔を形成したアース板と
を具備し、
前記接続片の上面に前記補強用鋼鉄線の接続方向と直交する突条をこの接続片のねじ螺合孔を挟んだ位置に形成し、
前記座金に前記補強用鋼鉄線を締め付ける突部を形成し、
前記アース板は前記各アース接触部の上面には前記補強用鋼鉄線の接続方向と直交する突条を前記ねじ挿通孔を挟んだ位置に形成した
ことを特徴とする光ファイバーケーブル分配中継装置。
【発明の詳細な説明】
【０００１】
【発明の属する技術分野】
本発明は光ファイバーケーブルの補強用鋼鉄線を張力に抗して中継支持することができるようにした光ファイバーケーブル分配中継装置に関する。
【０００２】
【従来の技術】
一般に光ファイバーケーブルは補強用鋼鉄線にて保護され、光ファイバーケーブルの分配中継するには、補強用鋼鉄線を中継支持する必要があり、特に、架設された光ファイバーケーブルの主線からそれぞれ利用者に分配中継する場合に、補強用鋼鉄線を張力により外れないように補強用鋼鉄線の端部を締め付け支持することのできる簡単な構造の光ファイバーケーブル分配中継装置が求められている。
【０００３】
【発明が解決しようとする課題】
本発明は、光ファイバーケーブルの補強用鋼鉄線の端部を確実にかつ簡単に締め付け支持できる光ファイバーケーブル分配中継装置を提供するものである。
【０００４】
【課題を解決するための手段】
請求項１記載の発明の光ファイバーケーブル分配中継装置は、長手方向の両端部に固定部を設けるとともにこの固定部間に位置して上面に長手方向に一定間隔ごとに仕切り突壁を突設しかつこの各仕切り突壁間に幅方向に並列に上面に開口した凹部を形成しこの凹部の外側に位置して接続片固定孔を上面に開口形成した基台と、前記基台の接続片固定孔に両端部に下方に向けて折り曲げ形成した固定片部をそれぞれ挿入することにより鈎状部が前記接続片固定孔に食い込み係止されてこの基台の各仕切り突壁間の上面に並列に固定されかつ前記凹部に対向する一対のねじ螺合孔を左右に形成した複数の接続片と、抜け止め環部を形成した円柱状の軸部とこの軸部の一端部に形成しドライバーが係脱される係合部を有する径大頭部及び前記軸部の他端部に形成し前記各接続片の各ねじ螺合孔にそれぞれ螺合されるねじ軸部を有し光ファイバーケーブルの補強用鋼鉄線の端部を前記接続片に固着する締め付けねじと、この各締め付けねじのねじ軸部をそれぞれ挿通する挿通孔を有し前記接続片と締め付けねじの径大頭部との間にそれぞれ配設され前記抜け止め環部にて抜け止め保持される複数の座金と、前記各接続片の上面に当接されこの接続片と前記座金とに挟着された補強用鋼鉄線と接触されるアース接触部を各接続片にそれぞれ対応して突設し、この各アース接触部に前記締め付けねじを挿通するねじ挿通孔を形成したアース板とを具備したものである。
【０００５】
また、前記接続片の上面に前記補強用鋼鉄線の接続方向と直交する突条をこの接続片のねじ螺合孔を挟んだ位置に形成し、前記座金に前記補強用鋼鉄線を締め付ける突部を形成し、前記アース板は前記各アース接触部の上面には前記補強用鋼鉄線の接続方向と直交する突条を前記ねじ挿通孔を挟んだ位置に形成したものである。
【０００６】
そして、光ファイバーケーブルの主線の端部から補強用鋼鉄線を分離し、この補強用鋼鉄線の端部を基台の上面に固定されている接続片と座金との間に差し込み、接続片のねじ螺合孔に螺合されている締め付けねじを締め付け、補強用鋼鉄線の端部を接続片と座金とにて挟着し、光ファイバーケーブルの主線の端部を中継接続装置に接続する。この状態で補強用鋼鉄線の端部は、接続片の上面に補強用鋼鉄線の接続方向と直交して形成された突条によって接続片のねじ螺合孔を挟んだ位置で強く挟着され、補強用鋼鉄線は強固に支持される。
【０００７】
同様に分岐される分配配線される光ファイバーケーブルの補強用鋼鉄線の端部を接続片と座金の間に締め付けねじの締め付け螺合で挟着することにより、補強用鋼鉄線は接続方向と直交して形成された突条によって接続片のねじ螺合孔を挟んだ位置で強く挟着され、補強用鋼鉄線も強固に支持される。次いで、分配配線される光ファイバーケーブルの端部を中継接続装置に接続する。
【０００８】
また、光ファイバーケーブルの主線の補強用鋼鉄線の端部は、座金の突部によって強く挟着され、補強用鋼鉄線は強固に支持され、同様に分岐される分配配線される光ファイバーケーブルの補強用鋼鉄線の端部は座金の突部によって強く挟着され、補強用鋼鉄線も強固に支持される。
【０００９】
さらに、アース板の各アース接触部を接続片と座金との間に挟着することにより、複数の接続片に接続された光ファイバーケーブルの補強用鋼鉄線のアース接続ができる。
【００１０】
【発明の実施の形態】
次に、本発明の光ファイバーケーブル分配中継装置の一実施の形態を図面に基づいて説明する。
【００１１】
図１及び図２に示すように、合成樹脂など絶縁材料にて成型された基台１は、長手方向の両端部に上下方向に貫通する固定孔２を形成した固定部３，４が設けられ、この固定部３，４間に位置して基台１の上面には、長手方向に一定間隔ごとに仕切り突壁５が突設され、この各仕切り突壁５間にはそれぞれ基台１の幅方向に並列に上面に開口した凹部６，７が形成されている。さらに、この基台１には、凹部６，７の外側に位置して接続片固定孔８がそれぞれ上面に開口形成されている。
【００１２】
次に、前記基台１の各仕切り突壁５間の上面に固定される接続片10は、図１及び図３に示すように、両端部に下方に向けて折り曲げた固定片部11がそれぞれ形成され、この固定片部11の両側には前記基台１の接続片固定孔８に食い込み係止される鈎状部12が形成され、この接続片10は両側の固定片部11が前記基台１の接続片固定孔８にそれぞれ挿入されることにより鈎状部12が接続片固定孔８の両側に食い込み、接続片10は基台１の上面に固定される。
【００１３】
この各接続片10には前記基台１の凹部６，７に対向する位置に一対のねじ螺合孔13が左右に並列に形成されている。さらに、この各接続片10には上面に前記補強用鋼鉄線15の接続方向と直交する突条16がねじ螺合孔13を挟んだ位置に形成されている。
【００１４】
この各接続片10の各ねじ螺合孔13に光ファイバーケーブル14の補強用鋼鉄線15の端部を前記接続片10に固着する締め付けねじ17がそれぞれ螺合され、この締め付けねじ17の先端部は前記基台１の凹部６，７に位置される。
【００１５】
この締め付けねじ17は、円柱状の軸部18と、この軸部18の上端部に径大でドライバーが係脱される係合部19を形成した略球面状の径大頭部20と、前記軸部18の他端側にはこの軸部18より径大で前記接続片10のねじ螺合孔13に螺合されるねじ軸部21とが形成され、また、前記軸部18には抜け止め環部22が形成されている。
【００１６】
また、前記接続片10と締め付けねじ17の径大頭部20との間にそれぞれ配設される座金25は金属板にて成型され、図１、図４及び図５に示すように、この座金25は前記各締め付けねじ17のねじ軸部21をそれぞれ挿通する挿通孔が形成され、この座金25の挿通孔に挿通された締め付けねじ17の軸部18に転造により形成された抜け止め環部22にて抜け止め保持される。
【００１７】
さらに、この座金25には、前記補強用鋼鉄線15を締め付ける突部27が下方に向けて折り曲げによって突出形成されている。
【００１８】
次に、アース板30には、図１、図６及び図７に示すように、各接続片10の上面に当接される複数のアース接触部31が直角状に折り曲げ形成され、この各アース接触部31間の溝部32に前記基台１の仕切り突壁５が配設されるようになっており、このアース接触部31は前記接続片10と座金25との間に挿入されてこの接続片10と座金25とに挟着された補強用鋼鉄線15と接触される。このアース板30の一端部には前記基台１の固定部３の上面に位置するアース線接続部33が設けられている。このアース接触部31の上面には前記補強用鋼鉄線15の接続方向と直交する突条34が締め付けねじ17を挿通するねじ挿通孔35を挟んだ位置に形成されている。
【００１９】
また、中継接続装置36は前記光ファイバーケーブル14を中継接続する。
【００２０】
次に、この実施の形態の作用を説明する。
【００２１】
主線の光ファイバーケーブル14の端部から補強用鋼鉄線15を分離し、この補強用鋼鉄線15の端部を基台１の上面に固定されている接続片10と座金25との間に差し込み、接続片10のねじ螺合孔13に螺合されている締め付けねじ17を締め付ける。この締め付けねじ17の締付で補強用鋼鉄線15の端部は接続片10と座金25とにて挟着されて支持される。
【００２２】
また、主線の光ファイバーケーブル14の端部は中継接続装置36に接続する。
【００２３】
この状態で、補強用鋼鉄線15の端部は、接続片10の上面に補強用鋼鉄線15の接続方向と直交して形成された突条16によって接続片10のねじ螺合孔13を挟んだ位置で座金25と接続片10との間で強く挟着されるとともに、座金25の突部27によって座金25と接続片10との間に強く挟着され、補強用鋼鉄線15は強固に基台１に支持され、光ファイバーケーブル14の張力によって外れることがない。
【００２４】
同様に分岐側の分配配線される光ファイバーケーブル14aの補強用鋼鉄線15aの端部を、主線の補強用鋼鉄線15を接続した締め付けねじ17と隣接する締め付けねじ17を挿通した座金25と接続片10との間に挿通し、座金25の間に締め付けねじ17の締め付け螺合で接続片10と座金25の間に挟着することにより、補強用鋼鉄線15aは接続方向と直交して形成された突条16及び座金25の突部27とによって接続片10のねじ螺合孔13を挟んだ位置で強く挟着され、分配側の光ファイバーケーブル14aの補強用鋼鉄線15aも強固に支持される。次いで、分配配線される光ファイバーケーブル14aの端部を中継接続装置36に接続する。
【００２５】
また、アース板30の各アース接触部31間の溝部32に仕切り突壁５が配設され、基台１の分配側に位置する一側面に添設したアース板30の各アース接触部31は基台１の上面で接続片10と座金25との間に挟着されているので、各接続片10に接続された分配側の光ファイバーケーブル14aの補強用鋼鉄線15aの端末は座金25とアース板30のアース接触部31を介して接続片10に挟着され、各補強用鋼鉄線15aはアース板30にてアース接続される。
【００２６】
【発明の効果】
請求項１記載の発明によれば、光ファイバーケーブルの補強用鋼鉄線の端部を接続片と座金との間に差し込み、締め付けねじを締め付けることにより、補強用鋼鉄線の端部は接続片と座金とにて挟着され、光ファイバーケーブルの端部を中継接続装置に接続でき、補強用鋼鉄線の端部は、接続片の上面に補強用鋼鉄線の接続方向と直交して形成された突条によって接続片のねじ螺合孔を挟んだ位置で強く挟着され、補強用鋼鉄線は強固に支持され、光ファイバーケーブルに掛かる張力で外れることがない。
【００２７】
また、補強用鋼鉄線の端部は、座金の突部によって強く挟着され、補強用鋼鉄線は強固に支持されるので、光ファイバーケーブルに掛かる張力で外れることがない。
【００２８】
さらに、アース板の各アース接触部を接続片と座金との間に挟着することにより、複数の接続片に接続された光ファイバーケーブルの補強用鋼鉄線のアース接続が容易に接続でき、安全性を高められる。
【図面の簡単な説明】
【図１】  本発明の光ファイバーケーブル分配中継装置の一実施の形態を示す縦断正面図である。
【図２】  同上光ファイバーケーブル分配中継装置の平面図である。
【図３】  同上光ファイバーケーブル分配中継装置の接続片の縦断側面図である。
【図４】  同上光ファイバーケーブル分配中継装置の座金と締め付けねじとの正面図である。
【図５】  同上光ファイバーケーブル分配中継装置の座金と締め付けねじとの平面図である。
【図６】  同上光ファイバーケーブル分配中継装置のアース板の平面図である。
【図７】  同上光ファイバーケーブル分配中継装置のアース板の側面図である。
【符号の説明】
１    基台
３，４ 固定部
５ 仕切り突壁
６，７ 凹部
８ 接続片固定孔
10    接続片
11 固定片部
12 鈎状部
13    ねじ螺合孔
14    光ファイバーケーブル
15    補強用鋼鉄線
16    突条
17    締め付けねじ
18 軸部
19 係合部
20    径大頭部
21    ねじ軸部
22 抜け止め環部
25    座金
27    突部
30    アース板
31    アース接触部
34 突条
35 ねじ挿通孔
【図１】
0004038040.tif 000002
【図２】
0004038040.tif 000003
【図３】
0004038040.tif 000004
【図４】
0004038040.tif 000005
【図５】
0004038040.tif 000006
【図６】
0004038040.tif 000007
【図７】
0004038040.tif 000008